(57)【要約】    【課題】  両面原稿を送信するにあたり、簡易かつ安価な構成により原稿トレイにセットされた原稿の向きを判定し、表面及び裏面の原稿方向が適正となるように画像データを処理する。    【解決手段】  原稿の綴じ位置を指定するための綴じ位置指定手段と、原稿の表面及び裏面の画像を読取って各々の画像データを生成する読取手段と、その読取手段が原稿を読取った際の副走査方向の走査長に基づき、原稿の読取開始位置が短辺側か長辺側かを判定する判定手段と、指定された原稿の綴じ位置及び判定された原稿の読取開始位置の情報に基づき、原稿の表面及び裏面の原稿方向が適正となるように画像データの処理を制御する制御手段とを備えた構成とする。【選択図】    図１
2006080643.tif 000002
【特許請求の範囲】
【請求項１】
所定サイズの両面原稿を読取って送信可能なファクシミリ装置であって、
前記原稿の綴じ位置が短辺側か長辺側を指定するための綴じ位置指定手段と、
前記原稿の表面及び裏面の画像を読取って各々の画像データを生成する読取手段と、
前記読取手段が前記原稿を読取った際の副走査方向の走査長に基づき、前記原稿の読取開始位置が短辺側か長辺側かを判定する判定手段と、
前記指定手段によって指定された前記原稿の綴じ位置、及び前記判定手段によって判定された原稿の読取開始位置の情報に基づき、前記原稿の表面及び裏面の原稿方向が適正となるように前記画像データの処理を制御する制御手段とを備えたことを特徴とするファクシミリ装置。
【請求項２】
前記判定手段は、前記副走査方向の走査長と予め定めた基準値とを比較し、前記副走査方向の走査長が前記基準値より大きい場合には前記原稿の読取開始位置が短辺側であると判定する一方、前記副走査方向の走査長が前記基準値より小さい場合には前記原稿の読取開始位置が長辺側であると判定することを特徴とする請求項１に記載のファクシミリ装置。
【請求項３】
前記基準値は、前記原稿の短辺の長さと長辺の長さとの中間値に設定されたことを特徴とする請求項２に記載のファクシミリ装置。
【請求項４】
前記所定サイズの両面原稿は、前記読取手段が読取可能な最大の原稿サイズのハーフサイズに相当することを特徴とする請求項１に記載のファクシミリ装置。
【請求項５】
前記判定手段は、前記読取手段が複数枚の原稿を読取ることにより副走査方向の走査長が複数得られた場合に、それら副走査方向の走査長における最大値に基づき、前記原稿の読取開始位置が短辺側か長辺側かを判定することを特徴とする請求項１に記載のファクシミリ装置。
【発明の詳細な説明】
【技術分野】
【０００１】
本発明は、両面原稿の表面及び裏面をそれぞれ読取って送信可能なファクシミリ装置に関し、特に、読取った原稿の表面及び裏面の原稿方向が適正となるように画像データを再構成して送信するファクシミリ装置に関するものである。
【背景技術】
【０００２】
従来、ファクシミリ装置で両面原稿を送信する場合には、原稿の綴じ位置が短辺側または長辺側のいずれにあるか、或いは、原稿トレイに対して縦横いずれの方向で原稿がセットされたか等の違いによって、表面及及び裏面の画像データの原稿方向が不適切なまま送信されてしまう場合がある。そこで、両面原稿の送信に際しては、予め両面原稿に関する必要な情報を予めユーザに入力させたり、センサで検出したりする技術が存在する。
【０００３】
例えば、原稿トレイにセットされた原稿の用紙幅を検出する用紙幅センサ及び用紙長さを検出する用紙長センサを備え、用紙幅センサが検出した用紙幅と用紙長センサが検出した用紙長さとを比較して用紙幅の方が大きければ横方向、用紙長さの方が大きければ縦方向に原稿がセットされたと判断するとともに、原稿の綴じ位置を指定させ、表面及び裏面の画像データの原稿方向が不適切となる場合には、一方の面の画像を回転させて原稿方向を適正化する技術が知られている（特許文献１参照）。
【特許文献１】特開２００３−１３４３０５号公報
【発明の開示】
【発明が解決しようとする課題】
【０００４】
しかしながら、上記のような従来技術では、原稿トレイにセットされた原稿の配置を認識するのに用紙幅及び用紙長さを検出するためのセンサを設ける必要があるので、装置の構成が複雑となり、装置のコストも嵩むという問題があった。
【０００５】
本発明は、このような従来技術の問題点を解消するべく案出されたものであり、両面原稿を送信可能なファクシミリ装置において、原稿トレイにセットされた原稿の向きを認識するためのセンサ等を特別に設ける必要なしに、簡易かつ安価な構成により原稿トレイにセットされた原稿の向きを判定し、表面及び裏面の原稿方向が適正となるように画像データを処理して送信することを可能としたファクシミリ装置を提供することを主目的とする。
【課題を解決するための手段】
【０００６】
このような課題を解決するために、本発明によるファクシミリ装置は、請求項１に示すとおり、所定サイズの両面原稿を読取って送信可能なファクシミリ装置であって、原稿の綴じ位置が短辺側か長辺側を指定するための綴じ位置指定手段と、原稿の表面及び裏面の画像を読取って各々の画像データを生成する読取手段と、読取手段が原稿を読取った際の副走査方向の走査長に基づき、原稿の読取開始位置が短辺側か長辺側かを判定する判定手段と、指定手段によって指定された原稿の綴じ位置、及び判定手段によって判定された原稿の読取開始位置の情報に基づき、原稿の表面及び裏面の原稿方向が適正となるように画像データの処理を制御する制御手段とを備えた構成とする。
【０００７】
これによると、簡易かつ安価な構成により原稿の綴じ位置及び原稿の読取開始位置（読取手段で読取られる原稿の配置が縦置きか横置きか）を認識し、表面及び裏面の画像データを適切な原稿方向で送信することが可能となる。
【０００８】
ここで、制御手段は、例えば、原稿の綴じ位置及び原稿の読取開始位置の情報から表面及び裏面の画像が逆向きになると判断した場合には、原稿方向を一致させるために、一方の面の画像を他方の面の画像と相対的に１８０度回転させる処理を行わせることができる。
【０００９】
上記ファクシミリ装置においては、請求項２に示すとおり、判定手段は、副走査方向の走査長と予め定めた基準値とを比較し、副走査方向の走査長が基準値より大きい場合には原稿の読取開始位置が短辺側であると判定する一方、副走査方向の走査長が基準値より小さい場合には原稿の読取開始位置が長辺側であると判定する構成とすることができる。
【００１０】
これによると、予め適切な基準値を定めることで、読取手段で読取られる原稿の配置が縦置きか横置きかを容易に判定することができる。
【００１１】
上記ファクシミリ装置においては、請求項３に示すとおり、基準値は、原稿の短辺の長さと長辺の長さとの中間値に設定された構成とすることができる。
【００１２】
これによると、副走査方向の走査長が、原稿の短辺または長辺の長さのいずれに相当する場合でも基準値との差を比較的大きく確保できるので、読取手段より得られる副走査方向の走査長の誤差の影響もなく、読取手段で読取られる原稿の配置が縦置きか横置きかをより確実に判定することができる。
【００１３】
また、副走査方向の走査長と基準値との差を比較的大きく確保することで、例えば、所定サイズの両面原稿がＡ５サイズ（１４８ｍｍ×２１０ｍｍ）の場合、Ａ５サイズの基準値（中間値１７９ｍｍ）で、インボイスサイズ（約１４０ｍｍ（５．５インチ）×約２１６ｍｍ（８．５インチ））の場合、インボイスサイズの基準値（中間値１７８ｍｍ）で、原稿の配置を確実に判定することが可能である。
【００１４】
上記ファクシミリ装置においては、請求項４に示すとおり、所定サイズの両面原稿は、読取手段が読取可能な最大の原稿サイズのハーフサイズに相当する構成とすることができる。
【００１５】
これによると、例えば、読取手段で読取可能な最大の原稿サイズ（有効読取り幅に相当する原稿サイズ）がＡ４またはレターサイズである場合に、利用頻度の高いハーフサイズに相当するＡ５またはインボイスサイズの両面原稿について、それぞれ適切な原稿方向で画像データを送信することができる。
【００１６】
上記ファクシミリ装置においては、請求項５に示すとおり、判定手段は、読取手段が複数枚の原稿を読取ることにより副走査方向の走査長が複数得られた場合に、それら副走査方向の走査長における最大値に基づき、原稿の読取開始位置が短辺側か長辺側かを判定する構成とすることができる。
【００１７】
これによると、複数枚の原稿を送信する際に、原稿サイズの異なる原稿が混在しても適切に対応可能となる。
【発明の効果】
【００１８】
このように本発明によれば、両面原稿を送信可能なファクシミリ装置において、原稿トレイにセットされた原稿の向きを認識するためのセンサ等を特別に設ける必要なしに、簡易かつ安価な構成により原稿トレイにセットされた原稿の向きを判定し、結果として表面及び裏面の原稿方向が適正となるように画像データを処理して送信することが可能となる。
【発明を実施するための最良の形態】
【００１９】
以下、本発明の実施の形態を、図面を参照しながら説明する。
【００２０】
図１は、それぞれ本発明の実施の形態に係るファクシミリ装置の概略構成を示す機能ブロック図である。このファクシミリ装置１は、所定サイズの両面原稿を読取って、読取った原稿の表面及び裏面の原稿方向が適正となるように画像データを処理して送信することが可能であり、読取り部（読取手段）２、記憶部３、画像処理部４、記録部５、表示・操作部（綴じ位置指定手段）６、外部インタフェース（Ｉ／Ｆ）部７、通信制御部８、モデム９、及び主制御部（判定手段、制御手段）１０から主として構成される。
【００２１】
読取り部２は、原稿トレイから搬送機構により順次搬送される原稿の画像を読取って画像データを生成する。特に、読取り部２は、両面原稿を読取った際の副走査方向のライン数のデータを記憶部３に転送して格納する。記憶部３は、読取り部２で生成された画像データや他のファクシミリ装置より受信した画像データを含め各種データを格納する。画像処理部４は、読取り部２により生成された画像データに関する種々の処理を行う。特に、画像処理部４は、両面原稿を読取った際に原稿の表面及び裏面の原稿方向が一致しない場合に、一方の面の画像を回転させることにより、表面及び裏面の原稿方向を一致させる処理を行う。記録部５は、読取り部２で生成された画像データや、他のファクシミリ装置より受信した画像データ等を所定の記録紙に記録する。表示・操作部６は、ユーザに対して装置の状態及び設定情報を表示する表示画面と、ユーザが各種設定入力を行うための操作ボタンとを備える。特に、表示・操作部６は、両面原稿を送信する際には、原稿の綴じ位置が短辺側か長辺側かをユーザに指定させるための手段として機能する。外部インタフェース（Ｉ／Ｆ）部７は、外部機器と接続して画像データを含む各種データやプログラムの送受信を可能とする。通信制御部８は、相手先のファクシミリ装置とのファクシミリの送受信動作を制御する。モデム９は、画像処理部４で処理された送信用の画像データを変調し、所定の通信回線を介して相手先のファクシミリ装置に送信する。
【００２２】
主制御部１０は、上記各部を統括的に制御する。特に、主制御部１０は、読取り部２が原稿を読取った際に得られる副走査方向のライン数の長さ換算値（副走査方向の走査長）と、予め定めた基準値とを比較し、副走査方向のライン数の長さ換算値が、基準値より大きい場合には読取り部２における原稿の配置が縦置き（原稿の読取開始位置が短辺側）であると判定する一方、ライン数の長さ換算値が基準値より小さい場合には読取り部２における原稿の配置が横置き（原稿の読取開始位置が長辺側）であると判定する手段として機能する。さらに、主制御部１０は、表示・操作部６によりユーザに指定された原稿の綴じ位置、及び判定した原稿の配置に基づき、原稿の表面及び裏面の原稿方向を一致させるように画像処理部４に画像データの回転処理を実行させる。
【００２３】
図２は、図１に示したファクシミリ装置による両面原稿の読取り動作の概要を示す模式図である。ここでは、複数枚の両面原稿の表面を先頭頁から順に読取った後、裏面を最終頁から順に読取る方式について示す。
【００２４】
両面原稿をファクシミリ送信する際には、まず、ユーザは、両面原稿の表面における画像の読取りを実行するために、原稿２１の表面２１ａを上側（読取り側）として、先端２１ｂが給紙ローラ２２側に向くように原稿トレイ２３上にセットする。そこで、原稿２１の表面の読取りが開始されると、原稿トレイ２３上の原稿２１は、給紙ローラ２２により１枚ずつ搬送通路２４内に順次送られ、各搬送ローラ２５、２６により搬送される。そこで、原稿２１がイメージセンサ２７を通過する際に原稿の表面が走査されて画像の読取りが行われる。画像読取り後の原稿は、排紙ローラ２８により順次排出される。このとき、排出された原稿３０は、裏面３０ａを上側として、後端３０ｂが排紙ローラ２８側に向くように排紙トレイ２９上に積載される。
【００２５】
原稿の表面の読取りが全て完了すると、ユーザは、両面原稿の裏面における画像の読取りを実行するために、排紙トレイ２９上に配置された原稿３０を取り出してそのまま原稿トレイ２３上にセットする。即ち、取り出された原稿３０は、裏面３０ａを上側として、後端３０ｂが給紙ローラ２２側に向くように原稿トレイ２３上にセットされることになる。その後は、表面の場合と同様に裏面の画像の読取りが行われる。
【００２６】
以下、本実施の形態では、説明の便宜上、上記のような態様で両面原稿の読取り動作が実行されることを前提とする。しかしながら、本発明は、上記読取り動作に限定されるものではなく、例えば、裏面の画像を読取る際に、原稿の先端が排紙ローラ側に向くように、原稿トレイ上に原稿が配置される構成に適用することも可能である。また、原稿の搬送通路内に反転機構を設け、ユーザが原稿を再度セットすることなく１枚の原稿毎に表面及び裏面の画像を読取る構成に適用することも可能である。
【００２７】
図３は、図１に示したファクシミリ装置で送信される両面原稿の構成例を示す図である。（ａ）〜（ｄ）は、一枚の両面原稿の表面及び裏面の状態を示している。両面原稿は、綴じ位置を軸として左右または上下に反転させた際に表面及び裏面の画像（文字や図面等）が同一の向きになるように構成すると、（ａ）縦長原稿、長辺綴じ、（ｂ）横長原稿、短辺綴じ、（ｃ）縦長原稿、短辺綴じ、及び（ｄ）横長原稿、長辺綴じに分類される。
【００２８】
ここで、「縦長原稿」とは、読む際に縦長に配置すると画像の向きが適正となる原稿をいい、「横長原稿」とは、読む際に横長に配置すると画像の向きが適正となる原稿をいうものとする。各原稿に示した「表」及び「裏」の文字は、それぞれ原稿が表面または裏面であることを示し、「表」及び「裏」の文字の向きは、原稿の画像の向きと一致するものとする。また、原稿の短辺側または長辺側に示した２つの円は、原稿の綴じ位置を示している。
【００２９】
図４は、図１に示したファクシミリ装置の読取り部における両面原稿の配置と読取り後の画像データの処理との関係を示す模式図である。ここでは、典型的な例として図３（ａ）及び（ｂ）に示した両面原稿に関して説明するが、図３（ｃ）及び（ｄ）に示した両面原稿についても、綴じ位置が同一であれば同様に取扱うことができる。
【００３０】
読取り部２における両面原稿の配置は、（ａ）縦置き、縦長原稿、長辺綴じ、（ｂ）縦置き、横長原稿、短辺綴じ、（ｃ）横置き、縦長原稿、長辺綴じ、及び（ｄ）横置き、横長原稿、短辺綴じに分類される。ここでは、図２について説明したように、原稿が矢印で示した原稿搬送方向に送られて表面の画像が読取られ、そこで、原稿の表裏が反転された後に再び原稿が原稿搬送方向に送られて裏面の画像が読取られた状態を示している。
【００３１】
ここで、「縦置き」とは、原稿の読取開始位置が短辺側となる原稿の配置をいい、「横置き」とは、原稿の読取開始位置が長辺側となる原稿の配置をいう。また、矢印で示したように、原稿搬送方向と垂直に交わる方向が主走査方向であり、原稿搬送方向と一致する方向が副走査方向である。また、各原稿に示した「表」及び「裏」の文字及び原稿の綴じ位置については、図３の場合と同様である。
【００３２】
図４において、読取られた表面及び裏面の画像は、（ａ）及び（ｄ）の場合については原稿方向が逆向きとなり、（ｂ）及び（ｃ）の場合については原稿方向が一致する。従って、（ａ）及び（ｄ）の場合については、適正な原稿方向とするために裏面の画像データを１８０度回転させる処理を行う必要がある。一方、（ｂ）及び（ｃ）の場合については、画像データを回転させる処理は不要である。
【００３３】
なお、ここでは、１枚の両面原稿の画像データの処理について示したが、複数枚の原稿が読取られる場合には、読取った表面及び裏面の画像データをメモリに一旦格納した後に、上記のように裏面の画像データを１８０度回転させる処理を行うとともに、画像データが、表面第１頁、裏面第１頁、表面第２頁、裏面第２頁、・・・というような適正な順序となるように並べ替え処理が実行される。
【００３４】
図５は、図１に示したファクシミリ装置の読取り部における原稿の配置を判定するための基準値の設定方法を示す概念図である。本実施の形態では、読取り部２の有効読取り幅（読取可能な最大の原稿サイズ）をＡ４サイズ（２１０ｍｍ×２９７ｍｍ）またはレターサイズ（約２１６ｍｍ（８．５インチ）×約２７９ｍｍ（１１インチ））相当とし、両面原稿の規定サイズをそれらのハーフサイズとなるＡ５サイズ（１４８ｍｍ×２１０ｍｍ）またはインボイスサイズ（約１４０ｍｍ（５．５インチ）×約２１６ｍｍ（８．５インチ））とする。
【００３５】
読取部２が原稿を読取った際の副走査方向のライン数の長さ換算値は、原稿が横置きか縦置きかによって原稿の短辺の長さＸまたは長辺の長さＹにそれぞれ対応するので、これらＸ及びＹの値と比較して原稿の配置を判定するための基準値Ｚは、原稿の短辺の長さＸよりも大きく長辺の長さＹよりも小さい値（Ｘ＜Ｚ＜Ｙ）として設定することが可能である。ここでは、好適な例として、基準値をＸとＹとの中間値（基準値＝Ｘ+((Ｙ−Ｘ)／２)）に設定する場合を示す。Ａ５サイズ及びインボイスサイズについて基準値を短辺の長さＸと長辺の長さＹとの中間値として算出すると、Ａ５サイズの場合の基準値は１７９ｍｍ、インボイスサイズの場合の基準値は約１７８ｍｍとなる。
【００３６】
図６は、図１に示したファクシミリ装置における両面原稿の送信動作を示すフロー図である。ここで、ユーザによる設定入力操作については、図７に示す表示・操作パネル、及び図８に示す表示・操作パネルの表示画面に表示される設定入力情報を参照しながら説明する。
【００３７】
まず、ユーザによって、表示・操作パネル７１の両面送信モード（ＤＵＰＬＥＸ）ボタン７２が押下されることによって両面送信モードが指定されると（ＳＴ１）、図８（ａ）に示すように、表示画面７３に原稿の綴じ位置を指定するための設定入力情報が表示される。ここでは、初期設定として長辺綴じが指定されているが、表示・操作パネル７１の矢印ボタン７４を操作することにより、図８（ｂ）に示すように、長辺綴じから短辺綴じへの変更が可能である。ユーザは、原稿の綴じ位置を指定した後に（ＳＴ２）、原稿の表面における画像と読取るために原稿を原稿トレイにセットする（ＳＴ３）。このとき、ユーザに対して原稿の表面を上側にして原稿トレイ上に原稿をセットする必要がある旨のメッセージを表示画面７３に表示させることもできる。さらに、ユーザは、表示・操作パネル７１においてファクシミリの送信先となる宛先情報を指定する（ＳＴ４）。
【００３８】
そこで、ユーザが送信開始ボタン（ＳＴＡＲＴ）７５を押下すると、原稿の表面における画像の読取り処理が開始され、原稿の表面における画像のみが順次読取られる（ＳＴ５）。ここで、図８（ｃ）に示すように、表示画面７３には読取り処理の進行状況が表示される。また、このとき、読取り部２が各原稿を読取った際に得られる副走査方向のライン数が記憶部３に格納される。全ての画像の読取りが完了して、原稿が排紙トレイに積載されると（ＳＴ６）、ユーザは、排紙トレイに積載された原稿を取り出し、原稿の裏面を上側にしたまま原稿トレイ上にセットする（ＳＴ７）。このとき、ユーザに対して排紙トレイ上の原稿を、そのまま向きを変えずに原稿トレイ上にセットする必要がある旨のメッセージを表示画面７３に表示させることもできる。
【００３９】
そこで、ユーザが送信開始ボタン７５を押下すると、原稿の裏面における画像の読取り処理が開始され、原稿の裏面における画像のみが順次読取られる（ＳＴ８）。全ての画像の読取りが完了すると（ＳＴ９）、主制御部１０は、原稿の配置が縦置きで且つ長辺綴じが指定されているか否かを判定する（ＳＴ１０）。ここで、原稿の配置については、図５について説明したように、記憶部３に格納された副走査方向のライン数の長さ換算値と予め定めた基準値とを比較して判定する。また、原稿が複数枚ある場合には、記憶部３に格納された複数の副走査方向のライン数の長さ換算値における最大値と予め定めた基準値とを比較して判定する。
【００４０】
ステップＳＴ１０において、原稿の配置が縦置きで且つ長辺綴じが指定されていると判定された場合には、主制御部１０は、表面及び裏面の原稿方向を一致させるように、裏面の画像データを１８０度回転させる処理を画像処理部４に実行させる（ＳＴ１１）。一方、ステップＳＴ１０において、原稿の配置が横置きまたは短辺綴じが指定されていると判定された場合には、さらに、原稿の配置が横置きで且つ短辺綴じが指定されているか否かを判定する（ＳＴ１２）。
【００４１】
ステップＳＴ１２において、原稿の配置が横置きで且つ短辺綴じが指定されていると判定された場合には、主制御部１０は、表面及び裏面の原稿方向を一致させるように、裏面の画像データを１８０度回転させる処理を画像処理部４に実行させる。
【００４２】
最終的に、ステップＳＴ１１において裏面の画像データを１８０度回転させる処理が実行されて、原稿の表面及び裏面の原稿方向が適正となるか、または、画像データの回転処理が不要であると判定されると（ＳＴ１２：ＮＯ）、ファクシミリ送信が開始される（ＳＴ１３）。そこで、送信が正常に終了すると両面原稿の送信動作は終了する。
【産業上の利用可能性】
【００４３】
本発明にかかるファクシミリ装置によれば、原稿トレイにセットされた原稿の向きを認識するためのセンサ等を特別に設ける必要なしに、簡易かつ安価な構成により原稿トレイにセットされた原稿の向きを判定し、表面及び裏面の原稿方向が適正となるように画像データを処理して送信することが可能となるので、両面原稿の表面及び裏面をそれぞれ読取って送信可能なファクシミリ装置として有用である。
【図面の簡単な説明】
【００４４】
【図１】本発明の実施の形態に係るファクシミリ装置の機能ブロック図
【図２】図１のファクシミリ装置による両面原稿の読取り動作の概要を示す模式図
【図３】図１のファクシミリ装置で送信される両面原稿の構成例を示す図
【図４】図１のファクシミリ装置における両面原稿の配置と読取り後の画像データの処理との関係を示す模式図
【図５】図１のファクシミリ装置における原稿の配置を判定するための基準値の設定方法を示す概念図
【図６】図１のファクシミリ装置における両面原稿の送信動作を示すフロー図
【図７】図１のファクシミリ装置の表示・操作パネルの構成を示す図
【図８】図７の表示・操作パネルにおける表示画面の表示例を示す図
【符号の説明】
【００４５】
１  ファクシミリ装置
２  読取り部（読取手段）
４  画像処理部
６  表示・操作部（綴じ位置指定手段）
１０  主制御部（判定手段、制御手段）
【図１】
2006080643.tif 000003
【図２】
2006080643.tif 000004
【図３】
2006080643.tif 000005
【図４】
2006080643.tif 000006
【図５】
2006080643.tif 000007
【図６】
2006080643.tif 000008
【図８】
2006080643.tif 000009
【図７】
2006080643.tif 000010